(57)【要約】【課題】構造が簡単で安価に製造できるケーブル貫通部用防水部材を提供する。【解決手段】開閉可能な箱本体と蓋体とからなり、ケーブル導入壁に、箱本体側及び蓋体側のケーブル導入壁にそれぞれ形成された１対の半円形切欠きによる円形のケーブル貫通穴が形成される防水接続箱に用いられる。防水部材２５は、四角形のゴムシート２６に、当該ゴムシートを伸ばした状態に維持する伸び状態維持プレート２７を取り付け、ゴムシート２６を筒状に丸めた状態で両端を互いに係合させる係合手段３１、３２を設ける。取り付け前はフラットである防水部材２５をケーブル１１の添わせ、筒状に丸め、両端を係合させて、ケーブル１１を囲む円筒状にする（図１０（ａ））。プレート２７を除去すると（同図（ｂ））、ゴムシート２６が縮んで縮径しケーブル１１の外周に密着し（同図（ｃ））、水密性が確保される。【選択図】図１０
2011182565.tif 000002
【特許請求の範囲】
【請求項１】
開閉可能な箱本体と蓋体とからなり、光又は電気ケーブルが導入されるケーブル導入壁に、箱本体側のケーブル導入壁及び蓋体側のケーブル導入壁にそれぞれ形成された１対の半円形切欠きによる円形のケーブル貫通穴が形成される防水接続箱に用いられ、この防水接続箱内に導入されるケーブルの外周に取り付けた状態でケーブル貫通穴に嵌合されてケーブル外周部の防水を図るケーブル貫通部用防水部材であって、
無張力時にケーブル外周面の円周長さより短い第１の辺を有する四角形のゴムシートに、当該ゴムシートを前記第１の辺の長さ方向に伸ばした状態に維持する伸び状態維持手段を取り外し可能に設け、かつ、前記第１の辺に隣接する２つの第２の辺に、当該第２の辺どうしをゴムシートを筒状に丸めた状態で互いに係合させる係合手段を設けたことを特徴とするケーブル貫通部用防水部材。
【請求項２】
前記伸び状態維持手段として、伸ばした状態のゴムシートの片面に、一定の剛性を有しかつ可撓性のある伸び状態維持プレートを取り外し可能に取り付けたことを特徴とする請求項１記載のケーブル貫通部用防水部材。
【請求項３】
第２の辺どうしを係合させる係合手段として、一方の第２の辺の端面に、縊れ部を持つアリ状の突条を形成し、他方の第２の辺の端面に、前記突条が嵌合する、アリ溝状の凹溝を形成したことを特徴とする請求項１又は２のいずれかに記載のケーブル貫通部用防水部材。
【請求項４】
前記伸び状態維持プレートは、四角形状であり、且つ、ゴムシートの第２の辺に沿う辺を有し、当該辺に、ゴムシートに食い込む突片を設けたことを特徴とする請求項２記載のケーブル貫通部用防水部材。
【請求項５】
開閉可能な箱本体と蓋体とからなり、光又は電気ケーブルが導入されるケーブル導入壁に、箱本体側のケーブル導入壁及び蓋体側のケーブル導入壁にそれぞれ形成された１対の半円形切欠きによる円形のケーブル貫通穴が形成される防水接続箱を対象として、この防水接続箱にケーブルを導入する際に、ケーブル外周部の防水を図るケーブル貫通部の防水方法であって、
請求項１記載のケーブル貫通部用防水部材を、伸び状態維持プレートが外面となるように、かつ、ゴムシートの第２の辺の長さ方向がケーブル長さ方向となるようにしてケーブルに添わせ、次いでゴムシートの第１の辺の長さ方向に伸ばしつつ筒状に丸め、次いで係合手段により第２の辺どうしを係合させてケーブルを囲む円筒状にし、次いで伸び状態維持プレートを除去することで、ゴムシートを縮径させてケーブルの外周に密着させ、このケーブル外周に密着したゴムシートを防水接続箱のケーブル貫通穴に嵌合させることを特徴とするケーブル貫通部の防水方法。
【請求項６】
開閉可能な箱本体と蓋体とからなり、光又は電気ケーブルが導入されるケーブル導入壁に、箱本体側のケーブル導入壁及び蓋体側のケーブル導入壁にそれぞれ形成された一対の半円形切欠きによる円形のケーブル貫通穴が形成される防水接続箱において、
請求項１〜４のいずれかに記載のケーブル貫通部用防水部材を、当該防水接続箱に導入されるケーブルの外周に取り付けた状態で前記ケーブル貫通穴に嵌合させたことを特徴とする防水接続箱。
【発明の詳細な説明】
【技術分野】
【０００１】
この発明は、光ケーブルや電気ケーブルの接続部を収容するクロージャ等に適用して好適なケーブル貫通部用防水部材、及びこのケーブル貫通部用防水部材を用いたケーブル貫通部の防水方法、及び防水接続箱に関する。
【背景技術】
【０００２】
光ケーブルの接続部あるいは電気ケーブルの接続部を開閉可能に収納するクロージャは一般に、接続部を収納する開閉可能な筒状体（いわゆるクロージャスリーブ）の両端面に防水端面部材を備えた構造であり、ケーブルはこの防水端面部材に設けたケーブル貫通穴を貫通して内部に導入される。
防水端面部材の構造は種々であるが、一般に防水端面部材のケーブル貫通部には、クロージャ内に水が浸入しないように、ゴム製二つ割り構造で互いに閉じ合わせた時にケーブル貫通穴を形成する防水フィンを持つ中空の防水端面部材が設けられている。ケーブルがこの防水端面部材の防水フィンに形成されたケーブル貫通穴を弾性的に締め付けられた状態で貫通していることで、クロージャ内に水が浸入することが防止される（特許文献１、２）。
【先行技術文献】
【特許文献】
【０００３】
【特許文献１】特開２００６−１５８１７２
【特許文献２】特開２００９−０９８１６４
【発明の概要】
【発明が解決しようとする課題】
【０００４】
上記従来の防水端面部材は、ゴム製で防水フィンを持つ複雑な中空構造であり、これを製造する金型も複雑で、製造コストが高いという欠点がある。
また、ボリュームも大きいので、使用するゴム材料を多く必要であり、この点でもコストが高くなる。
【０００５】
本発明は、構造が簡単で安価に製造できるケーブル貫通部用防水部材、及びこれを用いたケーブル貫通部の防水方法、及び防水接続箱を提供することを目的とする。
【課題を解決するための手段】
【０００６】
上記課題を解決する請求項１の発明は、開閉可能な箱本体と蓋体とからなり、光又は電気ケーブルが導入されるケーブル導入壁に、箱本体側のケーブル導入壁及び蓋体側のケーブル導入壁にそれぞれ形成された１対の半円形切欠きによる円形のケーブル貫通穴が形成される防水接続箱に用いられ、この防水接続箱内に導入されるケーブルの外周に取り付けた状態でケーブル貫通穴に嵌合されてケーブル外周部の防水を図るケーブル貫通部用防水部材であって、
無張力時にケーブル外周面の円周長さより短い第１の辺を有する四角形のゴムシートに、当該ゴムシートを前記第１の辺の長さ方向に伸ばした状態に維持する伸び状態維持手段を取り外し可能に設け、かつ、前記第１の辺に隣接する２つの第２の辺に、当該第２の辺どうしをゴムシートを筒状に丸めた状態で互いに係合させる係合手段を設けたことを特徴とする。
【０００７】
請求項２は、請求項１のケーブル貫通部用防水部材において、伸び状態維持手段として、伸ばした状態のゴムシートの片面に、一定の剛性を有しかつ可撓性のある伸び状態維持プレートを取り外し可能に取り付けたことを特徴とする。
【０００８】
請求項３は、請求項１又は２のケーブル貫通部用防水部材において、第２の辺どうしを係合させる係合手段として、一方の第２の辺の端面に、縊れ部を持つアリ状の突条を形成し、他方の第２の辺の端面に、前記突条が嵌合する、アリ溝状の凹溝を形成したことを特徴とする。
【０００９】
請求項４は、請求項２のケーブル貫通部用防水部材において、伸び状態維持プレートは、四角形状であり、且つ、ゴムシートの第２の辺に沿う辺を有し、当該辺に、ゴムシートに食い込む突片を設けたことを特徴とする。
【００１０】
請求項５の発明は、開閉可能な箱本体と蓋体とからなり、光又は電気ケーブルが導入されるケーブル導入壁に、箱本体側のケーブル導入壁及び蓋体側のケーブル導入壁にそれぞれ形成された１対の半円形切欠きによる円形のケーブル貫通穴が形成される防水接続箱を対象として、この防水接続箱にケーブルを導入する際に、ケーブル外周部の防水を図るケーブル貫通部の防水方法であって、
請求項１記載のケーブル貫通部用防水部材を、伸び状態維持プレートが外面となるように、かつ、ゴムシートの第２の辺の長さ方向がケーブル長さ方向となるようにしてケーブルに添わせ、次いでゴムシートの第１の辺の長さ方向に伸ばしつつ筒状に丸め、次いで係合手段により第２の辺どうしを係合させてケーブルを囲む円筒状にし、次いで伸び状態維持プレートを除去することで、ゴムシートを縮径させてケーブルの外周に密着させ、このケーブル外周に密着したゴムシートを防水接続箱のケーブル貫通穴に嵌合させることを特徴とする。
【００１１】
請求項６の発明は、開閉可能な箱本体と蓋体とからなり、光又は電気ケーブルが導入されるケーブル導入壁に、箱本体側のケーブル導入壁及び蓋体側のケーブル導入壁にそれぞれ形成された一対の半円形切欠きによる円形のケーブル貫通穴が形成される防水接続箱において、
請求項１〜４のいずれかに記載のケーブル貫通部用防水部材を、当該防水接続箱に導入されるケーブルの外周に被せた状態で前記ケーブル貫通穴に嵌合させたことを特徴とする。
【発明の効果】
【００１２】
本発明のケーブル貫通部用防水部材は、四角形のゴムシートに伸び状態維持手段を設けるという極めてシンプルな構造であり、安価に製造することができる。
また、対象とするケーブルの外径に対して、ゴムシートの伸び量で対応できるので、適用外径範囲を広く取ることができる。
【図面の簡単な説明】
【００１３】
【図１】本発明の一実施例のケーブル貫通部用防水部材を用いた防水接続箱の蓋体を開いた状態の正面図である。
【図２】図１における右方のケーブル導入壁の近傍を、ケーブル貫通部用防水部材を切り欠いて示した拡大図である。
【図３】図１のＡ−Ａ拡大断面図である。
【図４】防水接続箱の側面図であり、図１のものに蓋体を被せた状態で示したＡ−Ａ拡大断面図である。
【図５】図１でケーブル及びケーブル貫通部用防水部材を除いて示した図である。
【図６】（ａ）は図５のＣ−Ｃ断面図、（ｂ）は図５のＤ−Ｄ断面図である。
【図７】図１〜図４等におけるケーブル貫通部用防水部材の、ケーブルに取り付ける前の原形状態を示す斜視図である。
【図８】図７の原形状態のケーブル貫通部用防水部材を作製する要領を説明する斜視図である。
【図９】伸び状態維持プレートをゴムシートに、当該ゴムシートを伸ばした状態で取り外し可能に取り付ける手段の一実施例を示すもので、（ａ）はケーブル貫通部用防水部材の端縁近傍の拡大断面図、（ｂ）は（ａ）のＥ−Ｅ断面図である。
【図１０】上記ケーブル貫通部用防水部材をケーブルに取り付ける手順を説明する図である。
【図１１】ケーブル導入壁が下面側にのみある防水接続箱の実施例を示すもので、（ａ）は防水接続箱の一部切欠き正面図、（ｂ）は一部切欠き側面図である。
【発明を実施するための形態】
【００１４】
以下、本発明を実施したケーブル貫通部用防水部材、及び、これを用いたケーブル貫通部の防水方法、及び、防水接続箱について、図面を参照して説明する。
【実施例１】
【００１５】
この実施例の防水接続箱は、光ケーブルを導入し、内部で光ケーブルから取り出した光ファイバ心線どうしを接続する光クロージャである。
図１は本発明の一実施例のケーブル貫通部用防水部材を用いた光クロージャ（防水接続箱）１の蓋体を開いた状態の正面図、図２は図１における右方のケーブル導入壁の近傍を、ケーブル貫通部用防水部材を切り欠いて示した拡大図、図３は図１のＡ−Ａ拡大断面図である。
図４はクロージャ１の側面図であり、図１のクロージャ本体（箱本体）２に蓋体３を被せた状態で示したＡ−Ａ拡大断面図（図３と同じ切断位置）である。
図５は図１でケーブル及びケーブル貫通部用防水部材を除いて示した図、図６（ａ）は図５のＣ−Ｃ断面図、図６（ｂ）は図５のＤ−Ｄ断面図である。
【００１６】
図示例のクロージャ１には、切断されて当該クロージャ１内で光ファイバ心線が取り出され光接続される小径ケーブル１１と、クロージャ１を単に通過する大径ケーブル１２とが導入されている。また、当該クロージャ１を貫通してこれを支持する支持線（メッセンジャワイヤ）１３が導入されている
クロージャ１は、小径ケーブル１１から取り出した光ファイバ心線を収納する心線収納トレイ１４を内蔵している。
【００１７】
クロージャ１は、クロージャ本体（箱本体）２と蓋体３とからなる開閉可能な有底筒状体である。
このクロージャ１の両側の、ケーブルが導入されるケーブル導入壁５は、クロージャ本体２側のケーブル導入壁６と蓋体３側のケーブル導入壁７とで形成される。
クロージャ本体２側のケーブル導入壁６、及び蓋体３側のケーブル導入壁７はそれぞれ、閉じ合わせた時に、小径ケーブル１１、大径ケーブル１２及び支持線１３を貫通させる円形のケーブル貫通穴（便宜上、支持線１３もケーブルと同じ扱いをする）８を形成する半円形切欠き６ａ、７ａを備えている。
実施例のケーブル貫通穴８は、ケーブル導入壁５の外側に突出した、半円筒部９’を合わせた円筒部９の内面として形成されている。したがって、半円形切欠き６ａ、７ａも半円筒部９’の内面として形成されている。
ケーブル貫通穴８に、ケーブルに被せた後述するケーブル貫通部用防水部材２５、２５’、２５”が嵌合して、ケーブル貫通穴８から水が浸入するのを防止する。
なお、小径ケーブル１１と大径ケーブル１２と支持線１３とはそれぞれサイズが異なるが、各図において、ケーブル貫通穴を示す符号８や円筒部、半円筒部を示す符号９、９’はそれらの区別なしに用いている。また、半円形切欠きの符号６ａ及び７ａも同じく、それらの区別なしに用いている。
【００１８】
また、クロージャ１は、図１で左右のケーブル導入壁５のそれぞれ内側に、第１の水切り壁１６、及び第２の水切り壁１７を設けている。この水切り壁１６、１７には、ケーブル１１、１２、１３を貫通させる凹切欠き１６ａ、１７ａを設けている。
この２つの水切り壁１６、１７により、ケーブル導入壁５の内側に２つの水切り空間１８、１９が形成される。したがって、このクロージャ１の内部とは第２の水切り壁１７の内側となり、水がケーブル導入壁５から内側に侵入しても、第1の空間１８で入るだけであり、あるいはさらに内側に侵入しても、第２の空間１９に入るだけであり、その内側のクロージャ内部空間２０に水が浸入する恐れは一層少なくなる。
水切り壁１６、１７の凹切欠き１６ａ、１７ａは、図示例ではケーブル外径と同サイズの半円形切欠きとしたが、必ずしも、ケーブルを伝ってくる水を遮断する必要はなくケーブルに密着する必要がないので、ケーブル外径と同サイズである必要はないし、また、半円形切欠きでなくてもよい。
【００１９】
図示例では、クロージャ本体２及び蓋体３を、分離した別体品として示したが、例えば図４で両者２、３の上部の合わせ部Ｋが薄肉ヒンジ部により連結されて、薄肉ヒンジ部を中心として開閉可能な構成とするのが好適である。クロージャ本体２と蓋体３は、別部品であれば個別に樹脂成形し、一体品であれば薄肉ヒンジ部を介して連結された状態で樹脂一体成形する。
【００２０】
小径のケーブル１１に被せてケーブル貫通穴８に嵌合させるケーブル貫通部用防水部材２５について説明する。
図７は上記ケーブル貫通部用防水部材（以下、単に防水部材という）２５の原形状態、すなわち、ケーブル１１に取り付ける前のフラットな状態を示す斜視図である。
図８に図７のフラットな防水部材２５を作製するための２つの部材２６、２７を示す。
この防水部材２５は、無張力時に、ケーブル外周面の円周長さより短い長さＬの第１の辺２６ａを有する四角形のゴムシート２６と、このゴムシート２６を前記第１の辺２６ａの長さ方向に伸ばした状態に維持する、取り外し可能な伸び状態維持プレート（伸び状態維持手段）２７とからなる。防水部材２５は、ゴムシート２６の第１の辺２６ａに隣接する２つの第２の辺２６ｂの端面に、当該端面どうしを、ゴムシート２６を筒状に丸めた状態で互いに係合させる係合手段を設けた構造である。図７におけるゴムシート２６は伸び状態維持プレート２７で伸ばされた状態、図８におけるゴムシート２６は無張力状態である。
この実施例では、第２の辺２６ｂの端面どうしを互いに係合させる係合手段として、一方の第２の辺２６ｂの端面に、縊れ部３１ａを持つアリ状の突条３１を形成し、他方の第２の辺２６ｂの端面に、前記突条３１が嵌合する、アリ溝状の凹溝３２を形成している。
図示の伸び状態維持プレート２７は一定の剛性を有するが可撓性を有するプラスチックプレートである。伸び状態維持プレート２７の、ゴムシート２６の第１の辺２６ａと平行な辺を２７ａ、第２の辺２６ｂと平行な辺を２７ｂで示す。
この伸び状態維持プレート２７をゴムシート２６に、当該ゴムシート２６を伸ばした状態で取り外し可能に取り付ける手段は種々考えられる。かかる手段は、例えば、図９に示すように、伸び状態維持プレート２７の、ゴムシート２６の突条３１及び凹溝３２に沿う両側の辺２７ｂに、下向きの突片２７ｃを辺縁から間隔をあけて設けて、この下向きの突片２７ｃがゴムシート２６に食い込んで係合する構造とすることができる。
また、突片２７ｃを例えば金属の別部材としてもよい。また、この突片２７ｃとは逆に、ゴムシート２６側に、伸び状態維持プレートに設けた係合穴ないし係合切欠きに係合可能な突片を設けることもできる。その他種々の構造を採用することができる。
大径のケーブル１２に被せる防水部材２５’、支持線１３に被せる防水部材２５”は、サイズは異なるが、基本構造は同一なので、それらの説明は省略する。
この実施例のクロージャ１は、ケーブルに作用する引張り力が例えば５〜１０ｋｇ程度と、あまり大きな引張り力が作用しない場合を想定している。
また、対象とするケーブルの外径が８〜２１ｍｍ程度の範囲を想定している。３倍程度伸びることができるゴムシートを用いることで、このように８〜２１ｍｍ程度の範囲をカバーすることができる。
なお、クロージャ１の内部には、ケーブルを把持するためのケーブル把持金具が設けられるが、その説明は省略する。
【００２１】
図７に示したフラットな防水部材２５をケーブルに取り付ける要領を図１０に示す。  
ケーブル１１の場合として説明すると、フラットな防水部材２５を、伸び状態維持プレート２７が外面となるように、かつ、ゴムシート２６の第２の辺２６ｂの長さ方向がケーブル長さ方向となるようにしてケーブル１１に添わせ、ゴムシート２６の第１の辺２６ａの長さ方向に伸ばしつつ筒状に丸め、次いで両端の突条３１を凹溝３２に係合させて、図１０（ａ）のようにケーブル１１を囲む円筒状にする。
次いで、伸び状態維持プレート２７を除去すると（同図（ｂ）参照）、伸び状態維持プレート２７で伸ばされていたゴムシート２６が縮んで縮径し、同図（ｃ）のようにケーブル１１の外周に密着する。なお、図１０（ｂ）は過程を説明するための図であり、その状態に留まっているのではない。
ケーブル１１に取り付けた防水部材２５を図１〜３のように、クロージャ本体２のケーブル導入壁６の半円形切欠き６ａ（半筒内面９’）に収容した状態で、蓋体７を閉ざすと、ケーブル１１がゴムの防水部材２５を介してケーブル貫通穴８に嵌合する状態となる。
これにより、ケーブル１１の外周面と防水部材２５の内面との間においても、防水部材２５の外周面とケーブル貫通穴８の内面との間においても、水がクロージャ内部に浸入するのを遮断する。
なお、ケーブル外径とケーブル貫通穴とゴムシート厚みとの寸法関係は、ゴムシートをケーブルに被せた状態の円筒状ゴムシートの外径がケーブル貫通穴の内径より若干大きい寸法関係とする。
【００２２】
上記のように、ゴム製の防水部材２５がケーブル１１の外周面に緊密に密着した状態でケーブル貫通穴８に嵌合するので、水の浸入を効果的に遮断することができ、防水機能が確保される。
この防水部材２５は、四角形のゴムシート２６に伸び状態維持プレートを取り付けるという極めてシンプルな構造であり、安価に製造することができる。
また、対象とするケーブルの外径に対して、ゴムシート２６の伸び量で対応できるので、適用外径範囲を広く取ることができる。
【００２３】
上記の実施例は、水平に配されて両端部にケーブル導入部を有するクロージャとして説明したが、図１１に示すように、ケーブル導入壁が片側面、例えば下面に存在する防水接続箱にも適用可能である。図１１（ａ）は防水接続箱５１の正面図、（ｂ）は側面図である。
同図において、５２は箱本体、５３は蓋体である。ケーブル導入壁５５のケーブル貫通穴５８は、箱本体５２側のケーブル導入壁５６の半円形切欠き５６ａと、蓋体５３側のケーブル導入壁５７の半円形切欠き５７ａとで形成され、このケーブル貫通穴５８に、上述のケーブル貫通部用防水部材２５を設ける。
この防水接続箱５１は、光ケーブルや電気ケーブルを導入する防水接続箱に適用して好適である。
【符号の説明】
【００２４】
１  光クロージャ（防水接続箱）
２  クロージャ本体（箱本体）
３  蓋体
５  ケーブル導入壁
６  （クロージャ本体側の）ケーブル導入壁
７  （蓋体側の）ケーブル導入壁
６ａ、７ａ  半円形切欠き  
８  ケーブル貫通穴
１１、１２  ケーブル
１３  支持線
１４  心線収納トレイ
１６、１７  水切り壁
１６ａ、１７ａ  凹切欠き
１８、１９  水切り空間
２０  クロージャ内部空間
２５、２５’、２５”  防水部材（ケーブル貫通部用防水部材）
２６  ゴムシート
２６ａ  第１の辺
２６ｂ  第２の辺
２７  伸び状態維持プレート
２７ｃ  突片
３１  突条
３１ａ  縊れ部
３２  凹溝
【図１】
2011182565.tif 000003
【図２】
2011182565.tif 000004
【図３】
2011182565.tif 000005
【図４】
2011182565.tif 000006
【図５】
2011182565.tif 000007
【図６】
2011182565.tif 000008
【図７】
2011182565.tif 000009
【図８】
2011182565.tif 000010
【図９】
2011182565.tif 000011
【図１０】
2011182565.tif 000012
【図１１】
2011182565.tif 000013